(57)【特許請求の範囲】
【請求項１】
前端部が眼鏡フレームの前枠に取り付け可能に構成されるテンプル本体と、
前端部が前記テンプル本体に取り付けられ、該テンプル本体の長手方向に沿って配置された補助テンプルとを備え、
前記補助テンプルは、後端部に挟持部を具備し、
前記挟持部は、前記テンプル本体の内側面に対向し、内外方向に弾性的に変位可能であり、
前記補助テンプルは、前記挟持部が内方向に付勢されたときに前記テンプル本体の外側面に当接可能な当接部を具備し、
前記補助テンプルの前端部は、前記テンプル本体の外側面に取り付けられ、
前記テンプル本体は、内外方向に貫通する貫通孔を具備し、
前記補助テンプルは、前記貫通孔を貫通する状態で前記当接部と前記挟持部との間に介在し該当接部と該挟持部とを連結する連結部を具備し、
前記当接部は、前記前端部と前記連結部との間に介在し、前記テンプル本体の外側面に対向して該テンプル本体の長手方向に沿って延びていることを特徴とするテンプル。
【請求項２】
前記補助テンプルの前端部は、前記テンプル本体の前半部分に取り付けられていることを特徴とする請求項１に記載のテンプル。
【請求項３】
請求項１又は請求項２に記載のテンプルを備えたことを特徴とする眼鏡フレーム。
【発明の詳細な説明】
【技術分野】
【０００１】
本発明は、眼鏡フレームを構成するテンプル及び眼鏡フレームに関する。特に、装着位置からの眼鏡フレームのズレを少なくすることができる眼鏡フレームのテンプル及び眼鏡フレームに関する。
【背景技術】
【０００２】
眼鏡フレームは、ノーズパッドとテンプルのそれぞれが人体の鼻と耳のそれぞれに支持され、テンプルが側頭部を狭持する構成となっており、この構成によって眼鏡フレームは人体に装着される。
しかしながら、人がスポーツ等を行うことによって激しく動くと、装着位置からの眼鏡フレームのズレが発生するという問題がある。
【０００３】
このような眼鏡フレームのズレを防止することを目的とした眼鏡フレームが提案されている（特許文献１乃至５参照）。
これらの特許文献に記載された眼鏡フレームは、テンプルが側頭部を狭持することによって眼鏡フレームのズレを防止する。例えば、特許文献１に記載された眼鏡フレームは、テンプルの中央付近に内外方向に弾性変形する弾性部を設け、弾性部の復元力によって側頭部を狭持し、眼鏡フレームのズレを防止する。
【０００４】
しかしながら、これらの特許文献に記載された眼鏡フレームによっても、ズレを十分に防止することができない。
【先行技術文献】
【特許文献】
【０００５】
【特許文献１】特開２００８−９６５９８号公報
【特許文献２】特開２００８−９６５８６号公報
【特許文献３】特開２００８−５８７８４号公報
【特許文献４】特開２００８−１０２４５４号公報
【特許文献５】特開２００９−９２９４６号公報
【発明の概要】
【発明が解決しようとする課題】
【０００６】
本発明は、斯かる従来技術の問題を解決するためになされたものであり、眼鏡フレームのズレを少なくすることができる眼鏡フレームのテンプル及び眼鏡フレームを提供することを課題とする。
【課題を解決するための手段】
【０００７】
前記課題を解決するため、本発明者は、テンプルの構造について検討した。その結果、従来の眼鏡フレームは、テンプルによって人体の側頭部を挟持することだけで眼鏡フレームのズレを防止しようとしていたが、髪の毛を狭持するための部材を備えたテンプルとし、髪の毛を挟持することによって眼鏡フレームのズレを防止するという着想を得た。
【０００８】
本発明は、上記の本発明者の着想に基づき完成されたものである。すなわち、前記課題を解決するため、本発明は、前端部が眼鏡フレーム前枠に取り付け可能に構成されるテンプル本体と、前端部が前記テンプル本体に取り付けられ、該テンプル本体の長手方向に沿って配置された補助テンプルとを備え、前記補助テンプルは、後端部に挟持部を具備し、前記挟持部は、前記テンプル本体の内側面に対向し、内外方向に弾性的に変位可能であり、前記補助テンプルは、前記挟持部が内方向に付勢されたときに前記テンプル本体の外側面に当接可能な当接部を具備し、前記補助テンプルの前端部は、前記テンプル本体の外側面に取り付けられ、前記テンプル本体は、内外方向に貫通する貫通孔を具備し、前記補助テンプルは、前記貫通孔を貫通する状態で前記当接部と前記挟持部との間に介在し該当接部と該挟持部とを連結する連結部を具備し、前記当接部は、前記前端部と前記連結部との間に介在し、前記テンプル本体の外側面に対向して該テンプル本体の長手方向に沿って延びていることを特徴とするテンプルを提供する。
【０００９】
本発明に係るテンプルを用いた眼鏡フレームを装着するときは、事前に、狭持部間の距離が装着者の側頭部の幅よりも短くなるように、テンプル本体や補助テンプルの形状を調整しておく。
眼鏡フレームの装着を開始すると、狭持部の内側面が側頭部に当接し、狭持部が外方向に弾性的に変位する。眼鏡フレームが装着された後は、狭持部の弾性的変位の復元力によって、狭持部が側頭部を狭持する。
また、眼鏡フレームが装着されていないときには、狭持部がテンプル本体の内側面に対向し、狭持部とテンプル本体との間が開いているので、眼鏡フレームの装着時に、狭持部とテンプル本体との間に髪の毛が入り、眼鏡フレームが装着されたときには、狭持部が外方向に弾性的に変位し、狭持部とテンプル本体との間が狭くなり、髪の毛が狭持される。
【００１０】
本発明によれば、挟持部が内外方向に弾性的に変位することによって挟持部が側頭部を挟持する。そのために、装着者の成長、体形の変化、髪の毛の増減等によって装着者の側頭部の幅が変化しても、挟持部が内外方向に弾性的に変位することにより、挟持部が側頭部に当接する位置や挟持力が自動的に調整されるので、眼鏡フレームを側頭部に充分にフィットさせることができ、眼鏡フレームのズレを少なくすることができる。
また、本発明によれば、テンプル本体と挟持部との間に髪の毛を挟持することができるので、眼鏡フレームのズレを少なくすることができる。
また、本発明によれば、挟持部が内方向に付勢されても、当接部がテンプル本体の外側面に当接するので、挟持部が内側に入りこんで眼鏡フレームの装着の邪魔になることが少ない。
また、本発明によれば、連結部が貫通孔を貫通しており、連結部がテンプル本体と交差しているので、テンプル本体と挟持部との間の髪の毛が連結部を越えて前方に抜けることがない。このために、髪の毛が前方に抜けることによって髪の毛を挟持する力が減少する虞が少ない。
また、挟持部が側頭部に当接する位置や挟持力の調整を、前枠やテンプル本体を変形させるだけでなく、補助テンプルを変形させることによっても行えるので、眼鏡フレームを側頭部に充分にフィットさせることができ、眼鏡フレームのズレを少なくすることができる。
また、テンプル本体の外側面に当接可能な当接部とテンプル本体の内側面に対向する挟持部とを、連結部によって連結しようとすると、連結部がテンプル本体を跨ぐような構成が考えられる。しかしながら、そのような構成にすると、眼鏡フレームを側面から見たときに、連結部がテンプル本体の幅からはみ出し、美観が損なわれる。そこで、本発明に係るテンプルのように、テンプル本体に内外方向に貫通する貫通孔を設け、その貫通孔を連結部が貫通する構成にすることにより、眼鏡フレームを側面から見たときにテンプル本体の幅から連結部がはみ出さず、美観が損なわれない。
また、挟持部が側頭部を挟持する機能と、挟持部とテンプル本体とが髪の毛を挟持する機能と、挟持部が内側に入りこまないように当接部がテンプル本体の外側面に当接する機能とを、貫通孔を貫通する連結部が当接部と挟持部とを連結する簡易な構成により実現することができる。
尚、本明細書において、眼鏡フレームを装着した装着者の頭部の水平断面の中心を基準として前頭部が有る方向を前方とし、後頭部が有る方向を後方としており、「前端部」とは、装着された眼鏡フレームにおいて、眼鏡フレームを構成する各部材における前方の端部をいい、「後端部」とは、眼鏡フレームを構成する各部材における後方の端部をいう。
また、テンプル本体及び補助テンプルにおいて人体の頭部側の方向を内方向といい、内方向とは逆の方向を外方向という。
【００１１】
好ましくは、前記補助テンプルの前端部は、前記テンプル本体の前半部分に取り付けられている。
尚、テンプル本体の前半部分とは、テンプル本体の前方側の半分の部分をいう。
【００１２】
斯かる好ましいテンプルによれば、次のような効果がある。
狭持部が人体の側頭部に当接する所において、側頭部の水平方向の接線が前後方向と成す角度は、人によって大きく変わらない。従って、狭持部が側頭部に当接する位置や狭持力を調整するときには、狭持部が前後方向と成す水平方向の角度を変えずに、狭持部の位置を内外方向に平行移動できることが望ましい。斯かる好ましいテンプルによれば、補助テンプルが取り付けられた箇所から狭持部までの距離が長くなるので、狭持部が前後方向と成す水平方向の角度を変えずに狭持部の位置を内外方向に平行移動し易くなり、狭持部が側頭部に当接する位置や狭持力を調整し易くなる。
【００１７】
また、前記課題を解決するため、本発明は、上述したいずれかのテンプルを備えることを特徴とする眼鏡フレームを提供する。
【発明の効果】
【００１８】
本発明によれば、テンプル本体と挟持部との間に髪の毛を挟持することができるので、眼鏡フレームのズレを少なくすることができる。
また、眼鏡フレームを側頭部に充分にフィットさせることができ、眼鏡フレームのズレを少なくすることができる。
【図面の簡単な説明】
【００１９】
【図１】図１は、第１の実施形態に係るテンプルを用いた眼鏡フレームの構成図であり、図１（ａ）は、眼鏡フレームの平面図であり、図１（ｂ）は、テンプルの部分斜視図である。
【図２】図２は、同テンプルを用いた眼鏡フレームを装着するときの頭部と眼鏡フレームの平面図であり、図２（ａ）は、装着前の平面図であり、図２（ｂ）は、装着途中の平面図であり、図２（ｃ）は、装着後の平面図である。
【図３】図３は、第２の実施形態に係るテンプルを用いた眼鏡フレームの平面図である。
【図４】図４は、狭持部の位置を内外方向に移動させたときの狭持部が前後方向と成す角度の変化を示す模式図であり、図４（ａ）は、前端部から狭持部の後端までの距離が短い場合を示す模式図であり、図４（ｂ）は、前端部から狭持部の後端までの距離が長い場合を示す模式図である。
【図５】図５は、第３の実施形態に係るテンプルを用いた眼鏡フレームの構成図であり、図５（ａ）は、眼鏡フレームの平面図であり、図５（ｂ）は、眼鏡フレームの側面図であり、図５（ｃ）は、テンプルの部分斜視図である。
【図６】図６は、第４の実施形態に係るテンプルを用いた眼鏡フレームの構成図であり、図６（ａ）は、眼鏡フレームの平面図であり、図６（ｂ）は、眼鏡フレームの側面図であり、図６（ｃ）は、テンプルの部分斜視図である。
【発明を実施するための形態】
【００２０】
（第１の実施形態）
以下、添付図面を適宜参照しつつ、本発明の第１の実施形態に係るテンプルについて説明する。図１は、テンプルを用いた眼鏡フレームの構成図であり、図１（ａ）は、眼鏡フレームの平面図であり、図１（ｂ）は、テンプルの部分斜視図である。
眼鏡フレーム１は、前枠２と、テンプル３とを備えている。前枠２は、ノーズパッドやリム等を具備している。テンプル３は、テンプル本体４と補助テンプル５とを備えている。テンプル本体４は、前端部が眼鏡フレーム１の前枠２に取り付け可能に構成されている。補助テンプル５は、前端部５１がテンプル本体４に、例えばねじによって取り付けられ、テンプル本体４の長手方向に沿って配置されている。補助テンプル５は、後端部５２に、テンプル本体４の内側面に対向し、内外方向に弾性的に変位可能な狭持部５３を具備している。
【００２１】
狭持部５３は、例えば、可撓性樹脂より成っている。また、補助テンプル５における狭持部５３以外の部分（以下、保持部５４という）は、内外方向に弾性を有し、例えば金属等の材料によって成っている。保持部５４が、内外方向に弾性を有しているので、狭持部５３は、内外方向に弾性的に変位することができる。
【００２２】
つぎに、眼鏡フレーム１を装着するときの動作について説明する。
図２は、眼鏡フレーム１を装着するときの頭部と眼鏡フレーム１の平面図であり、図２（ａ）は、装着前の平面図であり、図２（ｂ）は、装着途中の平面図であり、図２（ｃ）は、装着後の平面図である。
眼鏡フレーム１を装着するときは、事前に、狭持部５３、５３間の距離が装着者の側頭部間の長さよりも少し短くなるように、テンプル本体４や補助テンプル５の形状を調整しておく（図１（ａ）参照）。
眼鏡フレーム１の装着を開始すると、最初に狭持部５３の後端の内側面が側頭部に当接し、保持部５４の弾性によって狭持部５３が外方向に弾性的に変位する（図１（ｂ）参照）。眼鏡フレーム１が装着された後は、保持部５４の弾性の復元力によって、狭持部５３が側頭部を狭持する（図１（ｃ）参照）。
【００２３】
眼鏡フレーム１が装着されていないときには、狭持部５３がテンプル本体４の内側面に対向し、狭持部５３とテンプル本体４との間が開いているので、眼鏡フレーム１の装着時に、狭持部５３とテンプル本体４との間に髪の毛Ｈが入る。眼鏡フレーム１が装着されたときには、狭持部５３が保持部５４の弾性によって外方向に弾性的に変位し、狭持部５３とテンプル本体４との間が狭くなり、髪の毛Ｈが狭持される。
【００２４】
本実施形態のテンプル３によれば、狭持部５３が内外方向に弾性的に変位することよって狭持部５３が側頭部を狭持する。そのために、装着者の成長、体形の変化、髪の毛の増減等によって装着者の側頭部の幅が変化しても、狭持部５３が内外方向に弾性的に変位することにより、狭持部５３が側頭部に当接する位置や狭持力が自動的に調整されるので、眼鏡フレーム１を側頭部に充分にフィットさせることができ、眼鏡フレーム１のズレを少なくすることができる。
また、本発明によれば、テンプル本体４と狭持部５３との間に髪の毛を狭持することができるので、眼鏡フレーム１のズレを少なくすることができる。
【００２５】
（第２の実施形態）
本発明の第２の実施形態に係るテンプルについて添付図面を適宜参照しつつ説明する。図３は、テンプルを用いた眼鏡フレームの平面図である。本実施形態に係るテンプルは、第１の実施形態に係るテンプルと異なり、補助テンプル５の前端部５１がテンプル本体４の前半部分に取り付けられている。それ以外のテンプル３の構成は第１の実施形態と同様である。
【００２６】
狭持部５３に当接される人体の側頭部の箇所において、側頭部の水平方向の接線が前後方向と成す角度は、人によって大きく変わらない。従って、狭持部５３が側頭部に当接する位置や狭持力を調整するときには、狭持部５３が前後方向と成す水平方向の角度を変えずに、狭持部５３狭持部の位置を内外方向に平行移動できることが望ましい。
【００２７】
図４は、狭持部５３の位置を内外方向に移動させたときの狭持部５３が前後方向と成す角度の変化を示す模式図であり、図４（ａ）は、前端部５１から狭持部５３の後端までの距離が短い場合を示す模式図であり、図４（ｂ）は、前端部５１から狭持部５３の後端までの距離が長い場合を示す模式図である。
狭持部５３の後端を内方向に距離Ｌだけ移動させた場合、前端部５１から狭持部５３の後端までの距離が長いと、狭持部５３が前後方向と成す角度Ｘの変化は少ないが、前端部５１から狭持部５３の後端までの距離が短いと、狭持部５３が前後方向と成す角度Ｘの変化は大きい。
【００２８】
本実施形態に係るテンプル３によれば、前端部５１が取り付けられた箇所から狭持部５３までの距離が長いので、狭持部５３が前後方向と成す角度を変えずに狭持部５３の位置を内外方向に平行移動し易くなり、狭持部５３が側頭部に当接する位置や狭持力を調整し易くなる。
【００２９】
（第３の実施形態）
本発明の第３の実施形態に係るテンプルについて添付図面を適宜参照しつつ説明する。
図５は、本実施形態に係るテンプルを用いた眼鏡フレームの構成図であり、図５（ａ）は、眼鏡フレームの平面図であり、図５（ｂ）は、眼鏡フレームの側面図であり、図５（ｃ）は、テンプルの部分斜視図である。
本実施形態に係るテンプルは、第１の実施形態に係るテンプルと異なり、補助テンプル５は、狭持部５３が内方向に付勢されたときにテンプル本体４の外側面４１に当接可能な当接部５５を具備する。当接部５５は、テンプル本体４の外側面に対向するように、保持部５４から外側に延びて設けられている。それ以外のテンプル３の構成は第１の実施形態と同様である。
【００３０】
眼鏡フレーム１を装着するときに、狭持部５３が指等によって内方向に付勢されても、当接部５５がテンプル本体４の外側面に当接するので、狭持部５３が内側に入りこんで眼鏡フレーム１の装着の邪魔になることが少なくなる。
当接部５５は、上記のような形状に限られるのでなく、テンプル本体４の外側面４１を当接するのならどのような形状でもよい。
【００３１】
（第４の実施形態）
本発明の第４の実施形態に係るテンプルについて添付図面を適宜参照しつつ説明する。
本実施形態に係るテンプルは、第３の実施形態に係るテンプルと同様に当接部を具備するが、補助テンプル５の前端部５１が、テンプル本体４の外側面４１に取り付けられている。
図６は、本実施形態に係るテンプルを用いた眼鏡フレームの構成図であり、図６（ａ）は、眼鏡フレームの平面図であり、図６（ｂ）は、眼鏡フレームの側面図であり、図６（ｃ）は、テンプルの部分斜視図である。
第１の実施形態に係るテンプルと、構成の異なる箇所について説明する。
テンプル本体４は、内外方向に貫通した貫通孔４２を具備している。補助テンプル５は、当接部５５と狭持部５３との間に介在して貫通孔４２を貫通して当接部５５と狭持部５３とを連結する連結部５６を具備している。当接部５５は、前端部５１と連結部５６との間に介在してテンプル本体４の外側面４１に対向してテンプル本体４の長手方向に沿って延びている。
換言すれば、補助テンプル５は、前端部５１、当接部５５、連結部５６、狭持部５３の順に連結されており、前端部５１及び当接部５５がテンプル本体４の外側に位置し、狭持部５３がテンプル本体４の内側に位置する。
前端部５１、当接部５５、及び連結部５６から成る保持部５４は、内外方向に弾性を有し、例えば金属等の材料によって成っている。
本実施形態に係るテンプル３を使用するときには、第１の実施形態に係るテンプル３と同様の方法により使用すればよい。狭持部５３が側頭部を狭持すると共に、狭持部５３とテンプル本体４とが髪の毛Ｈを狭持する。
【００３２】
本実施形態に係るテンプル３によれば、テンプル本体４と狭持部５３との間に髪の毛を狭持することができるので、眼鏡フレーム１のズレを少なくすることができる。
また、連結部５６が貫通孔４２を貫通しているおり、連結部５６がテンプル本体４と交差しているので、テンプル本体４と狭持部５３との間の髪の毛が連結部５６を越えて前方に抜けることがない。このために、髪の毛が前方に抜けることによって髪の毛を狭持する力が減少する虞が少ない。
また、狭持部５３が側頭部に当接する位置や狭持力の調整を、前枠２やテンプル本体４を変形させるだけでなく、補助テンプル５を変形させることによっても行えるので、眼鏡フレーム１を側頭部に充分にフィットさせることができ、眼鏡フレーム１のズレを少なくすることができる。
また、補助テンプル５が内方向に付勢されても、補助テンプル５の当接部５５がテンプル本体４の外側面４１に当接するので、狭持部５３が内側に入りこんで眼鏡フレーム１の装着の邪魔になることが少ない。
また、テンプル本体４の外側面に当接可能な当接部５５とテンプル本体４の内側面に対向する挟持部５３とを、連結部５６によって連結しようとすると、連結部５６がテンプル本体４を跨ぐような構成が考えられる。しかしながら、そのような構成にすると、眼鏡フレーム１を側面から見たときに、連結部５６がテンプル本体４の幅からはみ出し、美観が損なわれる。そこで、斯かる好ましいテンプル３のように、テンプル本体４に内外方向に貫通する貫通孔４２を設け、その貫通孔４２を連結部５６が貫通する構成にすることにより、眼鏡フレーム１を側面から見たときにテンプル本体４の幅から連結部５６がはみ出さず、美観が損なわれない。
また、挟持部５３が側頭部を挟持する機能と、挟持部５３とテンプル本体４とが髪の毛を挟持する機能と、挟持部５３が内側に入りこまないように当接部５５がテンプル本体４の外側面に当接する機能とを、貫通孔４２を貫通する連結部５６が当接部５６と狭持部５３とを連結する簡易な構成により実現することができる。
【００３３】
なお、本発明は、上記実施形態の構成に限られず、発明の趣旨を変更しない範囲で種々の変形が可能である。例えば、上述した各実施形態において、狭持部５３は内外方向に弾性を有してもよい。また、保持部５４は、保持部５４の一部だけに内外方向に弾性を有してもよい。
【符号の説明】
【００３４】
１・・・眼鏡フレーム
２・・・前枠
４・・・テンプル本体
４１・・・外側面
４２・・・貫通孔
５・・・補助テンプル
５１・・・前端部
５３・・・狭持部
５５・・・当接部
５６・・・連結部
【図１】
0005343257.tif 000002
【図２】
0005343257.tif 000003
【図３】
0005343257.tif 000004
【図４】
0005343257.tif 000005
【図５】
0005343257.tif 000006
【図６】
0005343257.tif 000007